(57)【要約】表面上の身体排泄物汚染を検出し、好ましくは排泄者の健康又はその他の一時的な状態に関連する特別な環境のために稀にしか存在しない成分ではなく、健康な個人によって排泄された排泄物中に通常存在する排泄物の成分を検出することにより、そのような汚染の存在を示す信号を提供するセンサーを有する表面拭き取り使い捨て用品を開示する。センサーによって提供された信号は物品のユーザの目で見る事ができ、物品はセンサーを組み込む基材を含むことができる。好ましい実施態様では、物品はある表面から身体排泄物汚染を効果的に洗浄することができる洗浄物品である。
2004500186.tif 000002
【特許請求の範囲】
【請求項１】
以下を備える使い捨て物品：
センサーであって；
物品が接触する表面上で身体排泄物汚染を検出すること及び該物品の該表面上で排泄物汚染の存在を表示する信号をユーザに提供することに適応している該センサー。
【請求項２】
前記物品は洗浄物品であり、好ましくは赤ちゃん用拭き取り用品、手用拭き取り用品、ペーパータオル、トイレットペーパー、及び顔用ティッシュからなる群から選択されることを特徴とする、請求項１に記載の使い捨て物品。
【請求項３】
前記センサーが、例えば便、尿、粘液、皮脂、唾液、汗、射精液及び経血のような健康な個人により排泄された身体排泄物中に通常存在する前記身体排泄物の成分を検出することに適応することを特徴とする、請求項１〜２のいずれかに記載の使い捨て物品。
【請求項４】
前記センサーがアルカリホスファターゼを検出するのに適応することを特徴とする、請求項１〜３のいずれかに記載の使い捨て物品。
【請求項５】
前記センサーがバイオセンサーを含むことを特徴とする、請求項１〜４のいずれかに記載の使い捨て物品。
【請求項６】
前記信号が比色信号であることを特徴とする、請求項１〜５のいずれかに記載の使い捨て物品。
【請求項７】
前記信号が、物品が表面上で身体排泄物に接触する時から約３０秒未満、好ましくは物品が表面上で身体排泄物に接触する時から約１０秒未満で提供されることを特徴とする、請求項１〜６のいずれかに記載の使い捨て物品。
【請求項８】
前記信号が、一時的である又は少なくとも物品の有用な寿命の間中耐久性があることを特徴とする、請求項１〜７のいずれかに記載の使い捨て物品。
【請求項９】
前記物品が、例えば半透過性膜、コーティング及び水溶性コーティングのようなセンサーへの接近を制御するためのある要素を更に含むことを特徴とする、請求項１〜８のいずれかに記載の使い捨て物品。
【請求項１０】
更に、水性流体を含むことを特徴とする請求項１〜９のいずれかに記載の使い捨て物品。
【請求項１１】
前記センサーが、物品によって拭き取る事が可能な、表面上に存在する排泄された身体排泄物中に存在する１以上の異常な健康マーカ又は異常な栄養的マーカを検出すること及びその異常の存在を物品のユーザに信号で知らせることに適応することを特徴とする、請求項１〜１０のいずれかに記載の使い捨て物品。
【請求項１２】
前記センサーが、病原体、バクテリア、及びウイルスからなる群から選択される健康マーカを検出することに適応することを特徴とする、請求項１１に記載の使い捨て物品。
【請求項１３】
表面拭き取り用品、及び、例えば取替え用使い捨てテーブルパッド、ベッドパッド、使い捨てよだれかけ又は手袋のような表面カバーの形体をした請求項１〜１２のいずれかに記載の使い捨て物品。
【発明の詳細な説明】
【０００１】
（産業上の利用分野）
本発明は表面拭き取り使い捨て物品に関し、特に便又はその他の身体排泄物による汚染を検出して信号を送るセンサーを有する表面拭き取り使い捨て物品に関する。
【０００２】
（発明が解決しようとする課題）
今日、例えば、手用使い捨て拭き取り用品、赤ちゃん用拭き取り用品、ペーパータオル、顔用ティッシュ、トイレットペーパー及びその他の洗浄物品のような表面拭き取り使い捨て物品は、個人（生物の表面）や環境（無生物の表面）衛生、例えば幼児や失禁のある個人の世話などにおいて身体排泄物及びその他の汚染物質を洗浄する（除去する）手段として広く使用されている。これらの物品は一般に、その便利さと信頼性から、これらの用途に好ましい手段として、再利用可能、洗濯可能な布物品に取って代わった。
【０００３】
例えば上で挙げた洗浄物品のような従来の表面拭き取り使い捨て用品は、人の裸眼では検出できない身体排泄物汚染の存在又はその除去の効力について何の表示も提供しない。排泄物の残基が皮膚に残っている場合皮膚が炎症（例えば糞尿の場合）を起こす可能性があるため、及び／又は排泄物が他の接触表面に更に広がりそれによって有害な微生物又は他の排泄物の成分をその表面に広げる可能性があるため、これは重大な限界である。
【０００４】
それ故に、汚染の存在を検出して物品の使用者に信号を送ることにより、便又は肉体の他の排泄物汚染に反応する表面拭き取り使い捨て物品又は手袋を提供することは有益であろう。
【０００５】
（課題を解決するための手段）
本発明は、物品が接触する表面で身体排泄物汚染を検出し、好ましくは排泄者の健康又はその他の一時的な状態に関連する特別な環境のために排泄物中に稀に存在する成分ではなく、健康な個人から排泄された排泄物中に通常存在する排泄物の成分を検出する事により、そのような汚染の存在を示す信号を提供するセンサーを有する表面拭き取り使い捨て用品に関する。
【０００６】
一つの好ましい実施態様では、センサーによって提供される信号は物品のユーザの目で見る事ができる。他の好ましい実施態様では、物品はセンサーを組み込む基材を含む。更に好ましい他の実施様態では、物品は、センサーを組み込み、表面から排泄物汚染を取り除くのに有用な基材を含む洗浄物品である。
【０００７】
本明細書は、本発明を特に指摘し、明確に主張する請求項で結んでいるが、以下の記載は添付の図面と共に、本発明及びその好ましい実施態様を説明する。
【０００８】
本発明は、物品が接触する表面の上の身体排泄物汚染を検出し、そのような汚染の存在を示す信号を提供するセンサーを有する表面拭き取り使い捨て物品に関する。本明細書において「使い捨て」という用語は、吸収物品として洗濯又は復原又は再利用することを一般に意図しない物品（すなわち一回の使用後廃棄する、及び好ましくは再生利用する、堆肥にする、水で流す、又は環境的に融和性のある方法で処分することを意図する物品）を表す。本明細書において「表面拭き取り物品」という用語は、例えば人の皮膚のような生物の表面、又は、床、壁、家具、蛇口、ドアノブ又はおもちゃの表面のような無生物の表面のいずれかを拭き取るために使用することを意図する物品を意味する。例えば、表面拭き取り使い捨て物品には、顔用のティッシュ、トイレットペーパー、ペーパータオル、乾燥した拭き取り用品、及び手用拭き取り用品又は赤ちゃん用拭き取り用品のような湿った拭き取り用品が含まれる。
【０００９】
本発明の表面拭き取り使い捨て用品には、好ましくは基材、及び基材中又は基材上に組み込まれた身体排泄物汚染センサー又は感知システムが含まれる。本発明の表面拭き取り使い捨て用品には、多種多様の基材を使用することができる。基材は不織布材でも織繊維材でもよく、又は非繊維素材でもよい。素材、形体、及びデザインは、物品のタイプ及びその使用目的による。一例として、使用可能な素材の例には、繊維、スポンジ、独立気泡発泡体、連続気泡発泡体、ラテックス、ゴム、（プラスチィック、特に生分解性プラスチックのような）高分子材料が含まれる。基材は非吸収性であっても吸収性であってもよく、超吸収性ポリマーゲル素材のような任意の素材を含むことができる。
【００１０】
図１は、表面の汚染物質を洗浄するのに好適な基材３０を備える本発明の物品２０の透視図である。物品２０は、例えば、赤ちゃんの皮膚のような生物の表面から便及び尿を拭き取るのに好適な赤ちゃん用拭き取り物品であってもよく、又は、例えば壁又は家具のような無生物の表面からこぼれたもの又は身体排泄物を拭き取るために好適なペーパータオル又はティッシュであってもよい。基材３０は、いずれの織繊維材又は不織布材でもよく、又は非繊維素材でもよい。好ましくは基材３０は、例えばセルロース、又は、例えばポリエチレン又はポリプロピレンのような合成ポリマー素材、又はその組み合わせのような繊維性素材である。基材３０は厚さ２７を有し、その厚さは使用目的及び組み立て素材により変化し得るが、一般的に約０．０５ｃｍと約２ｃｍの間、更に一般的には約０．１ｃｍと約１ｃｍの間であろう。基材３０はいずれの幅及び長さであってもよく、また連続するロールであってもよい。
【００１１】
本発明に使用する繊維性基材には、天然繊維、合成繊維、又は天然繊維と合成繊維の混合物が含まれ得る。好適な天然繊維には、例えば木材パルプ繊維、木綿、麻布、羊毛、及びナイロンのようなセルロース繊維が含まれるが、これらに限定されない。好適な合成繊維には織物に共通に使用される繊維が含まれ、ポリエステル及びポリプロピレン繊維が含まれるが、これらに限定されない。
【００１２】
時々ウェブと呼ばれる好適な繊維性基材を形成するための種々の形成方法が使用され得る。例えば、基材又はウェブは、風成のような不織布乾燥形成技術によって、あるいは紙製造機上でのように湿成によって作ることができる。他の不織布製造技術には、メルトブローイング（溶融ブロー成型）、スパンボンディング、ニードルパンチングのような技術が含まれるがこれに限定されず、湿式からみ合わせ方法が使用されてもよい。
【００１３】
一つの実施態様では、繊維性基材は、天然繊維、短繊維の合成繊維及びラテックス結合剤の組み合わせを含む乾燥繊維性風成不織布ウェブであってもよい。乾燥繊維性ウェブは、例えば、木材パルプ繊維約２０〜８０質量％、短繊維のポリエステル繊維１０〜６０質量％、及び結合剤約１０〜２５質量％であってもよい。乾燥繊維性ウェブは、１ｍ２たり約４０ｇと約８０ｇの間の基礎重量を有することができるが、これに限定されない。乾燥繊維性ウェブの密度は、例えば１ｃｍ３当たり約０．１２ｇ未満であり得る。本明細書で使用する時、「密度」は、一貫する単位で測定した乾燥ウェブの厚さで割った乾燥繊維性ウェブの基礎重量であり、乾燥ウェブの厚さは、約２平方インチの面積を有し１平方インチ当たり約９５ｇの制限圧を提供する環状の荷重台を使用して測定する。一つの実施態様において、乾燥繊維性ウェブは、１ｍ２当たり約６４グラムの基礎重量、約０．０６ｃｍの厚さ、及び１ｃｍ３当たり約０．１１グラムの密度を有し得る。
【００１４】
乾燥繊維性ウェブは、木材パルプ繊維を少なくとも５０質量％、更に好ましくは木材パルプ繊維を少なくとも約７０質量％含み得る。本発明に好適に使用される一つの特別な風成不織布ウェブは、セルロース繊維（約２．６ｍｍの平均繊維長を有する南部の軟木クラフト紙）を約７３．５質量％、繊維長約１．３５ｇ／９０００ｍのデニール及び約０．８５インチの短繊維を有するポリエステル繊維を約１０．５質量％、及びスチレンブタジエン共重合体を含む結合剤組成物を約１６質量％含む。結合剤組成物は、シャーロット（Ｃｈａｒｌｏｔｔｅ）Ｎ．Ｃ．のマラードクリークポリマー（Ｍａｌｌａｒｄ Ｃｒｅｅｋ Ｐｏｌｙｍｅｒｓ）からロベーヌ（Ｒｏｖｅｎｅ）５５５０（固体シスレーンブタジエン４９％）として市販されているラテックス接着剤を使用して作ることができる。
【００１５】
本発明における使用に好適なその他の風成不織布ウェブは、プロクターアンドギャンブル社（Ｐｒｏｃｔｅｒ ＆ Ｇａｍｂｌｅ Ｃｏｍｐａｎｙ， Ｃｉｎｃｉｎａｔｉ， Ｏｈｉｏ， Ｕ．Ｓ．Ａ．）から市販されているパンパースベビーフレッシュ赤ちゃん用拭き取り用品に使用されている風成不織布ウェブである。このようなウェブは一般に、１９９７年８月２２日にゴレリー（Ｇｏｒｅｌｙ）の名前で出願した発明の名称「不透明剤を有する予湿した使い捨て拭き取り用品」、米国特許出願第０８／９１５，３４９号に開示されており、この出願を本願に引用し援用するが、セルロース繊維を約７６．４％、ポリエステル繊維を１２．９％、及び接着結合剤を１０．７％含む。
【００１６】
以下の特許も又、その好適な繊維性ウェブに関する開示のため、本願に引用し援用する：１９７５年１月２８日発行の米国特許第３，８６２，４７２号、１９７６年９月２８日発行の米国特許第３，９８２，３０２号、１９７７年１月２５日発行の米国特許第４，００４，３２３号、１９７７年１１月８日発行の米国特許第４，０５７，６６９号、１９７８年６月４日発行の米国特許第４，０９７，９６５号、１９７９年１２月４日発行の米国特許第４，１７６，４２７号、１９７８年１２月２６日発行の米国特許第４，１３０，９１５号、１９７９年１月１６日発行の米国特許第４，１３５，０２４号、１９８０年２月２６日発行の米国特許第４，１８９，８９６号、１９８０年６月１０日発行の米国特許第４，２０７，３６７号、１９８１年１０月２０日発行の米国特許第４，２９６，１６１号、１９８２年１月２５日発行の米国特許第４，３０９，４６９号、１９８７年７月２８日発行の米国特許第４，６８２，９４２号、１９８７年１月２０日発行の米国特許第４，６３７，８５９号、１９９３年６月２９日発行の米国特許第５，２２３，０９６号、１９９３年８月３１日発行の米国特許第５，２４０，５６２号、１９９６年９月１７日発行の米国特許第５，５５６，５０９号、１９９６年１２月３日発行の米国特許第５，５８０，４２３号、及び１９９８年１１月２４日発行の第５，８４０，４０３号。
【００１７】
基材は単層であっても、又は複層であってもよく、単密度又は複密度、及び単基礎重量又は複基礎重量であってもよい。複数の密度のウェブは、当業界で周知の方法により作ってもよい。以下の特許は本発明に使用可能なウェブを作るための方法を開示する：トロクハン（Ｔｒｏｋｈａｎ）に１９８５年７月１６日に付与された米国特許第４，５２９，４８０号、トロクハンに１９８７年１月２０日に付与された第４，６３７，８５９号、スムルコスキ（Ｓｍｕｒｋｏｓｋｉ）らに１９９４年１１月１５日に付与された第５，３６４，５０４号、トロクハンらに１９９６年６月２５日に付与された第５，５２９，６６４号、ラッシュ（Ｒａｓｃｈ）らに１９９７年１０月２１日に付与された第５，６７９，２２２号、エイヤーズ（Ａｙｅｒｓ）らに１９９８年２月３日に付与された第５，７１４，０４１号、トロクハンに１９９９年５月２５日に付与された第５，９０６，７１０号、全て共通してプロクターアンドギャンブル社に譲渡されており、その明細書を本願に引用し援用する。複数の基礎重量のウェブ及びそれらを作る方法は、トロクハンらに１９９６年４月２日に付与された米国特許第５，５０３，７１５号、ファン（Ｐｈａｎ）らに１９９７年３月２５日に付与された第５，６１４，０６１号、ファンらに１９９８年９月８日に付与された第５，８０４，２８１号、及びヒューストン（Ｈｕｓｔｏｎ）に１９９９年５月４日に発行された第５，９００，１２２号に開示されており、その明細書を本願に引用し援用する。
【００１８】
基材は、１ｍ２当たり約６２ｇの基礎重量を有する湿式からみ合わせウェブを含むことができ、レイヨン繊維を約５０質量％、及びポリエステル繊維、ポリプロピレン繊維を約５０質量％、又はその組み合わせを含み得る。更にその他の実施態様では、基材は、例えば、外側の層において表面材質を提供するために、熱によって収縮するネット状のスクリム素材の形体であり得る内部の圧迫層に結合した１ｍ２当たり約３０ｇの基礎重量を有するポリエステル繊維の不織布ウェブのような二つの外側の湿式からみ合わせウェブの積層体を含み得る。
【００１９】
いくつかの出願において、例えば、液体除去機能が、表面拭き取り物品が行う第一の機能である状況では、実質的に基材には水又はその他の液体がないことが好ましい。これらの出願のための表面拭き取り物品の例には、ペーパータオル及び顔用ティッシュが含まれる。その他の出願において、例えば、非液体（糊状、半固体又は固体物質など）の除去も行う必要がある場合、水又は他の液体を基材に組み込むことが好ましいかもしれない。これらの出願のための表面拭き取り物品の例には、赤ちゃん用拭き取り用品、手用拭き取り用品、硬質表面洗浄拭き取り用品、及びその他のいわゆる「ウエットタオル」が含まれる。これらの場合、基材は、例えば、皮膚軟化剤、ローション、トニック、消毒液、殺菌液、洗浄液、又は拭き取りを目的とする対象への適用に好適なその他の液体で、予め湿らせることができる。液体は、水、他の水性流体、又は親水性の液体（例えばエタノール）、又は親油性の液体（例えばシリコーン、炭化水素、又は油）、及びその組み合わせであり得る。予湿した拭き取り用品は、好ましくは、乾燥繊維性ウェブ１ｇ当たり少なくとも１ｇの予湿用液体で乾燥基材を湿らせることにより作り得る。好ましくは、乾燥繊維性ウェブ１ｇ当たり少なくとも約２．０ｇ、更に好ましくは少なくとも約２．５ｇの液体で乾燥基材を湿らせる。
【００２０】
拭き取り基材を湿らせるために使用される液体は、水溶性シリコーン基剤の界面活性剤、例えばアニオンシリコーン基剤のスルホコハク酸界面活性剤を含むローションであってもよい。好適な対イオンには、アルカリ金属（例えばナトリウム、カリウム）、アルカリ土類金属（例えばマグネシウム、カルシウム）、アンモニア、及びアルカノールアミン（例えばモノエタノールアミン、ジエタノールアミン、及びトリエタノールアミン）由来のものが含まれる。ローションは、水及び、ニナトリウムジメチコーンコポリオールスルホコハク酸及びジアンモニウムジメチコーンコポリオールスルホコハク酸から成る群から選択されるシリコーンコポリオールスルホコハク酸を含み得る。好ましくは、ローションはシリコーン基剤のスルホコハク酸を約１．００質量％未満含む。特に、ローションはシリコーン基剤のスルホコハク酸を約０．２０質量％未満含むことができ、一つの実施態様ではシリコーン基剤のスルホコハク酸を約０．０８質量％と約０．１０質量％の間で含む。好ましくは、ローションは、シリコーン基剤のスルホコハク酸を含む全界面活性剤固形物を約１．００質量％だけ含む。好適なニナトリウムジメチコーンコポリオールスルホハク酸は、マックインタイヤグループ（ＭｃＩｎｔｙｒｅ Ｇｒｏｕｐ， ＬＴＤ， Ｕｎｉｖｅｒｓｉｔｙ Ｐａｒｋ，Ｉｌｌｉｎｏｉｓ）からマカネートＤＣ−３０及びマカネートＤＣ−５０（ＭＡＣＫＡＮＡＴＥ ＤＣ−３０，ＭＡＣＫＡＮＡＴＥ ＤＣ−５０）という銘柄のスルホハク酸界面活性剤として市販されている。好適なジアンモニウムジメチコーンコポリオールスルホハク酸は、同一の供給元からマカネートＤＣ−３０Ａ（ＭＡＣＫＡＮＡＴＥ ＤＣ−３０Ａ）として市販されている。マクソンに１９８９年７月１８日に付与された米国特許第４，８４９，１２７号を、ジメチコーンコポリオールスルホハク酸に関する開示として本願に引用し援用する。
【００２１】
拭き取り基材を予め湿らせるために使用される液体はまた、以下のうち１以上を含み得る：効果的な量の防腐剤、効果的な量の保湿剤、効果的な量の皮膚軟化剤、効果的な量の芳香剤、及び効果的な量の芳香剤可溶剤。本明細書に使用するとき、皮膚軟化剤は、皮膚を柔らかくする、滑らかにする、しなやかにする、覆う、潤滑にする、又は湿りを与える素材である。皮膚軟化剤という用語には、従来の脂質素材（例えば脂肪、ワックス）、極性脂質（水溶性をより高めるために親水的に修正された脂質）、シリコーン、アロエベラや炭化水素のようなアロエ抽出物、及びその他の溶媒素材が含まれるが、それらに限定されない。本発明に有用な皮膚軟化剤は、石油基剤の、脂肪酸エステル型、アルキルエトキシレート型、脂肪酸エステルエトキシレート型、脂肪アルコール型、ポリシロキサン型、ムコ多糖類、又はこれらの混合物であってよい。保湿剤は、皮膚を水和するために、水を角質層に引き込む作用をする吸湿性の素材である。水は真皮から来てもよいし、又は大気から来てもよい。保湿剤の例にはグリセリン、プロピレングリコール、及びリン脂質が含まれる。香料のような芳香剤成分には、精油を含む非水溶性油が含まれるが、これに限定されない。芳香剤可溶剤は、非水溶性芳香剤成分の傾向を低減して化粧水から沈殿させる成分である。芳香剤可溶剤の例には、例えばエタノール、イソプロパノール、ベンゼンアルコール、及びフェノキシタノールのようなアルコール；ポリソルベートを含むがこれに限定されないＨＬＢの高い（１３を超えるＨＬＢ）あらゆる乳化剤；及び高エトキシ化酸及びアルコールが含まれる。防腐剤は、液体ローション及び／又は基材中の微生物の成長を防ぐ。一般にこのような防腐剤は、疎水性の又は親水性の有機分子である。好適な防腐剤には、例えばメチルパラベン、プロピルパラベンのようなパラベン、及びこれらの組み合わせが含まれるが、それらに限定されない。
【００２２】
拭き取り基材を予め湿らせるために使用する液体はまた、皮膚の回復を促進する機能を提供するための効果的な量のケロトリティック（ｋｅｒｏｔｏｌｙｔｉｃ）も含み得る。特に好ましいケロトリティックは、実験式Ｃ４Ｈ６Ｎ４Ｏ３を有する複素環式有機化合物、アラントイン（（２．５−ジオキソ−４−イミダゾリジニル）尿素）である。アラントインは、エマーソンのトリ−Ｋ産業（Ｔｒｉ−Ｋ Ｉｎｄｕｓｔｒｉｅｓ ｏｆ Ｅｍｅｒｓｏｎ， Ｎｅｗ Ｊｅｒｓｅｙ）から市販されている。
【００２３】
１９９６年７月９日発行の米国特許第５，５３４，２６５号、１９９１年８月２７日発行の米国特許第５，０４３，１５５号、及び１９９７年７月１５日発行の米国特許第５，６４８，０８３号を、好適な予湿した拭き取り用品基材に使用するための追加成分を開示する目的で、本願に引用し援用する。１９９０年２月２７日発行の米国特許第４，９０４，５２４号（Ｙｏｈ）を本願に引用し援用するが、これは、水性ローション、及び基材の表面近くに集中するポリマービーズ（例えばマイクロスポンジ、マイクロカプセル）中に捕らえられた疎水性の機能的成分（例えばジメチコーン）を含浸した好適な基材を含む赤ちゃん用拭き取り用品を開示する。好適な予湿した拭き取り用品基材はまた、米国特許第４，３００，９８１号（カーステン（Ｃａｒｓｔｅｎｓ）、１９８１年１１月１７日発行）、第４，１１２，１６７号（デーク（Ｄａｋｅ）ら、１９７８年９月５日発行）、第４，４８１，２４３号（アレン（Ａｌｌｅｎ）１９８４年１１月６日発行）、第４，５１３，０５１号（ラバシュ（Ｌａｖａｓｈ）１９８５年４月２３日発行）、及び１９９８年８月１２日出願の米国特許出願第０９／１３２，８８３号（ハンサー（Ｈａｎｓｅｒ）ら）に記載されるように作ることも可能で、これらを全て本願に引用し援用する。
【００２４】
本発明における使用に好適な予湿した基材を有する使い捨てウェットタオルもまた、プロクターアンドギャンブル社からパンパースベビーフレッシュ（ＰＡＭＰＥＲＳ ＢＡＢＹ ＦＲＥＳＨ）として市販されている。このような拭き取り用品は、ゴレリー（Ｇｏｌｅｒｙ）の名前で１９９７年８月２２日に出願し、発明の名称が「不透明剤を有する予湿した使い捨て拭き取り用品」である米国特許出願第０８／９１５，３４９号に示す例において説明され、以下に記載するように修正される。この出願は先に本願に引用し援用されている。上記の出願の例を修正し、セルロース繊維を約７６．４％、ポリエステル繊維を１２．９％、及び接着結合剤（結合剤には二酸化チタンは含まない）を１０．７％基材ウェブに含ませることにより、パンパースベビーフレッシュ拭き取り用品が製作される。ウェブは、以下に記載する型を使用して、約１８％のランドエリアを有する型押しロールでエンボス加工される。ウェブに噴霧する結合接着剤は、乾燥重量約１０．７％の結合接着固形物を有する乾燥ウェブ（この乾燥基材又は乾燥ウェブは、以後パンパースベビーフレッシュ乾燥基材と呼ぶ）を提供する量であれば充分である。上記の例で示すように、予湿した基材を有する「ウェットタオル」は、パンパースベビーフレッシュ乾燥基材を、水約９７％及び残り３％をその他列挙した副次的な構成要素を含む液体組成物で湿らせることにより得られる。パンパースベビーフレッシュ拭き取り用品のためのエンボス加工の型は、１９９８年１１月１０日発行の米国意匠特許第４００，７１６号に描写されており、１６．０ｃｍ（６．３インチ）のエンボス加工の型の繰り返し、文字ラインの厚さ０．０８１ｃｍ（０．０３２インチ）及び、長径０．２８ｃｍ（０．１１インチ）及び短径０．１４ｃｍ（０．０５５インチ）を有する楕円形を持つ拭き取り用品であり、これも本願に引用し援用する。
【００２５】
上記のように、本発明の表面拭き取り使い捨て物品は、湿った基材を含んでもよいし、又は乾燥基材を含んでもよい。ある好ましい実施態様では、基材は、その表面に遊離液体水又はその他の水性流体を含む湿った基材であってもよいし、又は基材の本体の中又は上において孔、毛管、隙間などの中で保持される湿った基材でもよい。本明細書に記載するセンサーの多くは、特に化学的反応又は生物学的反応によるものは、適切に機能するために、水又はその他の水性流体の存在を必要とする。水又はその他の水性流体は、例えば、表面と接触する、又は拭き取り圧を加えるなどの通常の使用状態で、基材から遊離可能である。遊離した水又はその他の水性流体は、例えば、赤ちゃんの皮膚の又は無生物の環境の表面の乾燥した便による汚染の場合のように、汚染が実質的に無水であり、反応を可能にするのに不充分な「遊離」又は非結合水を含む場合に行うセンサーの反応（例えば排泄物汚染又はその成分を検出するための化学的反応）を可能にする又は容易にするために役立つ。物品の湿った基材から得られる水又はその他の水性流体がなければ、センサーは関係する表面の排泄物汚染を検出できないであろう。しかし、例えば赤ちゃんの皮膚の上の「新鮮な」便を検出する場合のように、センサーが適切に機能するために、排泄物の汚染に充分な水を含んでいることが妥当に期待される用途には、乾燥基材は適切であるかもしれない。ある実施態様では、拭き取り用品基材は触覚的に乾燥していてもよいが、検出反応を可能にするのに十分な水又はその他の水性流体のそれ自身での供給があってもよい。例えば、「乾燥した」拭き取り用品は、基剤上に配置された高内相エマルジョンを含んでもよく、その際、皮膚又は他の表面を拭き取る間にせん断又は加圧される時、エマルジョンが破裂して水（単独で又は殺菌剤のような添加物と共に）を放出する。このような乾燥した拭き取り用品基材は、米国特許第５，７５６，１１２号、第５，７６３，３３２号、第５，８６３，６６３号、第５，９１４，１７７号、及び第５，９４８，５４０号（マッケイ（Ｍａｃｋｅｙ）ら）により充分に説明されており、それらを全て本願に引用し援用する。
【００２６】
再び図１を参照すると、表面拭き取り使い捨て用品又はカバー物品２０は、物品が接触する表面の上で身体排泄物の汚染の１以上の目印を検出するのに適合し、そのような検出の信号をユーザ又は世話人に提供するための能力を有する少なくとも一つのセンサー４０を含む。好ましくはセンサー４０は、表面接触基材の中又は上に組み込まれる。本発明のセンサーはまた、キャリア構造と関連してもよい。キャリア構造はセンサーを保持しても、安定させても、及び／又は少なくとも部分的にカプセルに入れてもよい。キャリア構造の例には、織及び不織布ウェブ、フィルム、発泡体、スクリム、ヒドロゲル、スポンジ、などの１以上の層が含まれる。センサーは、キャリア構造の二つ以上の構成成分、層、又は折り目の間で保持してキャリア構造に取り付けてもよく、又はキャリア構造の中に封印してもよい。キャリア構造は、表面拭き取り使い捨て物品の基材３０に取り付けてもよい。センサー及び／又はキャリアを利用する場合にはキャリアは、センサーの保持及び／又は、汚染又はその成分のセンサーへの接近の制御に適合する要素を追加的に含んでもよい。例えば、汚染がセンサーへ接近する割合を制限するために、又はセンサーが特定の要素、分子、又は微生物（例えば特定のｐＨ、大きさ、生物学的特異性など）へ接近するのを制限するために、半浸透性の又は選択的透過性の膜を使用してもよい。接近制御要素は、例えば、薬の供給及び電気透析技術、又は溶性（例えば水溶性）被覆加工で知られるような半透過性フィルムを追加的に含んでもよい。
【００２７】
本明細書で使用するとき、「センサー」という用語は、ある事象又はある事象に関連するパラメータを検出可能である装置又はシステムに関する。この発明の目的のために、ある事象には生物の表面（例えば臀部、手、顔、又は他の皮膚領域の上）の汚染、又は無生物の環境の表面の、例えば便（関係する排泄物汚染は、標的汚染又は標的汚染物質と呼んでもよい）のような身体排泄物を伴う汚染が含まれてもよい。ある事象に関するパラメータは、システム（例えば身体排泄物又はその成分に起因する信号）の表示枠の中でのある事象の発生に相互に関連するいずれかの測定可能な信号である。センサーには、一以上の特定の入力に反応する任意のものが含まれる。センサーは、化学的、電気化学的、生化学的、又は生物学的、機械的、磁気的、熱的、又は当業界で周知のその他のセンサーであってもよい。本発明の物品は特に、ある表面の、例えば便、尿、痰、唾液、皮脂、汗、精液のような射精液、又は経血のような関係する身体排泄物の検出を表示する信号をユーザ又は世話人に提供するセンサーを含む。
【００２８】
好ましくは、センサー４０によって提供された検出信号は、表面拭き取り物品（本明細書に使用する時、「ユーザ」という用語には、例えば拭き取り物品が使用されるかもしれない例えば赤ちゃんのような個人の世話人が含まれる）のユーザの裸眼に可視である信号（例えば比色表示器又は蛍光表示器）を含む光学的信号である。比色信号は特に好ましい。本発明の表面拭き取り使い捨て物品は典型的に、使用期間が非常に短いので、この比色信号は、明瞭（例えば、明暗度又は色調に対する色の変化）および迅速であることが好ましい。視覚的な表示は、型、又は、例えば発光のような他の視覚的なしるしを含んでもよい。あるいは、センサー４０によって提供される信号は、化学信号（例えば、ｐＨの変化、酵素活性、又は他の化学種の濃度）、又は電気信号であってもよく、電気信号は（例えばＬＥＤ又はＬＣＤ表示のような読み出し上）に表示されてもよい電気信号（例えば電流、電位、インダクタンス、又はインピーダンス）を、例えば生じる又は増幅する、又は可聴又は触知可能な（例えば振動）信号を引き起こす関連する変換器によって処理してもよい。信号は質的（例えば排泄物汚染の存在を表示する）であっても、又は量的（例えば排泄物汚染の量又は濃度の測定）であってもよい。
【００２９】
ある好ましい実施態様では、ユーザは、センサー４０からの信号を、いずれの検出反応過程が終了するよりも前に使用できる。ユーザによる使用開始時間と使い捨て拭き取り物品を捨てる時間の間は典型的には、約３０秒未満であり、それよりかなり短いかもしれない。汚染のいかなる信号も有用であるように、信号は、物品の有用な寿命の間にユーザによって検出される必要がある。故に、本発明による物品の比較的短い有用な寿命を考慮して（例えば、使い捨てオムツと比較して）、反応速度が、重要である。信号は、物品が標的排泄物汚染に接触する時から約３０秒未満で提供されることが好ましい。更に好ましくは、信号は標的汚染に接触する時から約１５秒未満で提供される。更に好ましくは、信号は標的汚染に接触する時から約１０秒未満で提供される。最も好ましくは、信号は標的汚染に接触する時から約５秒未満で提供される。
【００３０】
いずれの場合も、センサー４０によって提供される信号は、耐久性があってよく（典型的に少なくとも物品の有用な寿命と同じ期間、安定で読み取り可能）又は一時的（同時測定を示す）でもよい。本発明による使い捨て拭き取り物品の有用な寿命は典型的には短いが、しかし、安定な視覚的終点又は表示の必要はない。物品が捨てられれば、信号が無くなっても関係がない。更に、予め限定した閾値レベル（例えば、汚染レベルが典型的バックグラウンドレベルを下まわる場合）を超える排泄物汚染の濃度のみを検出する及び／又は信号を送るように、センサー４０又はその成分のいずれかを適合させてもよい。表面拭き取り使い捨て物品の型にかかわらず、信号は、汚染した表面そのものの上ではなく、本明細書に記載した物品の上、又は他の有効に接続した構成成分の上で発生する及び／又は表示されることが好ましい。
【００３１】
有意に、本発明は主として、排泄者の健康又はその他の一時的な状況に関連した特別な環境のために排泄物中に稀にしか存在しない成分ではなく、健康な個人が排泄した排泄物中に通常存在する排泄物の成分（換言すれば、成分は全ての典型的な排泄物見本にあると考えられるあるもの）を検出することによって、あらゆる排泄物汚染を検出することに関する。例えば、赤ちゃんの皮膚のような生物の表面に残る便の場合、皮膚の炎症及び／又は、病原体又は潜在的に有害な他の物質を含むかもしれない汚染が、例えば、おもちゃ、オムツ取替え用テーブルのような無生物の表面に偶発的に拡がることを防ぐため、そのような状況を検出しそれを除去し得ることが重要である。また、例えば、無生物の表面を汚染したかもしれない便の場合、表面から人への汚染の偶発的な広がりを防ぐために、そのような状況を検出してそれを除去し得ることも重要である。
【００３２】
ある表面上の身体排泄物汚染の存在は、通常発生する排泄物の成分をマーカー（目印）として検出することによって観察されるかもしれない。例えば、マーカーは、関係する汚染排泄物中に通常見つかるかもしれないいかなる基本的、化学的、又は生物学的成分を含んでもよい。マーカーは、例えば、トリプシン、キモトリプシン、アミラーゼ、エラスターゼ、リパーゼ、ロイシン、アミノペプチターゼ、及びとりわけ酸フォスファターゼ又はアルカリフォスファターゼなどの内因性又は微生物起源の酵素を含んでもよい。マーカーはまた、例えばビフィドバクテリア及びラクトバクテリアなど１以上のバクテリアを含んでもよい。これらの酵素及びバクテリアは、例えば健康な赤ちゃんの便の中に一般に見つかる。その他の好適なマーカーには、粘液質の及び他の内因性分泌物（例えば胆汁酸及びその塩）、蛋白質含有物質、脂肪（例えばミリスチン酸、リノール酸、パルミチン酸、ステアリン酸及びオレイン酸などの遊離脂肪酸）、石鹸（例えばパルミチン酸石鹸、ステアリン酸石鹸）、電解質（例えばアルミニウム、カルシウム、塩素、銅、すず、亜鉛、ナトリウム、鉄、マグネシウム、マンガン、リン、硫黄、重炭酸及びカリウム）、ビタミン及び関連する化合物（例えばチアミン、リボフラビン、ナイアシン、ビオチン、パントテン酸、葉酸、アスコルビン酸及びビタミンＥ）、アミノ酸及び他の窒素含有化合物（例えばヒスチジン、アルギニン、イソロイシン、ロイシン、リジン、スレオニン、バリンなど）、炭水化物、及びその他の有機物質（例えば長鎖アルコール、長鎖エステル、トリグリセリド、炭化水素）を含んでもよい。
【００３３】
典型的なセンサー（検知システム）は、便汚染の中のアルカリホスファターゼ（ＡＬＰ）の検出に基づく。ＡＬＰは、生後すぐから少なくともトイレトレーニング開始までの赤ちゃんの便の中に存在する事が発見されている。典型的なセンサーは以下のように作成される。炭酸ナトリウム（無水）３．１４ｇを脱イオン水５００ｍｌに混合し、その後シグマ−アルドリヒ（Ｓｉｇｍａ−Ａｌｄｒｉｃｈ， Ｓｔ．Ｌｏｕｉｓ，ＭＯ）から発行されているカタログ＃２２１３３−３で入手可能なボラックス（Ｂｏｒａｘ）を９．５ｇを加えることにより緩衝溶液を作成する。この緩衝溶液を固体が溶解するまで攪拌する。補助因子溶液も、脱イオン水５００ｍｌ中で塩化マグネシウム０．２０３ｇを溶解することにより作成する。指標溶液を、緩衝溶液２００ｍｌ中で１．００ｇのフェノルフタレインジホスフェートを溶解し、続いてこの混合物に補助因子溶液１．０ｍｌを加えることにより作成する。０．１３３％（ｗ／Ｖ）の薄青色塩素溶液を、シグマ−アルドリヒ（Ｓｉｇｍａ−Ａｌｄｒｉｃｈ）から市販されている固体薄青色塩素３４．４μｇを２５ｍｌのイソプロパノール中で溶解することにより作成する。検出溶液（すなわちセンサーシステム）を、指標溶液２５ｍｌに０．１３３％（ｗ／Ｖ）の薄青色塩素溶液１．０ｍｌを加えることによって作成する。検出溶液は、シグマ−アルドリヒからＺ１２−６２９−２として市販されている５０ｍｌのチューブ型噴霧器を使用して、前記のパンパースベビーフレッシュ乾燥基材上に霧散して適用し、ウェブを乾燥させる。検出溶液は、基礎重量０．０３８ｇ／ｃｍ２（６ｍｌの検出溶液を８．９ｃｍ×１７．８ｃｍの基材上に均等に噴霧する）で基材に適用し、乾燥させる。残りの便汚染と接触すると、便中のＡＬＰは、フェノールフタレインリン酸基からリン酸基を切り裂き、５秒以内でフェノールフタレインから桃色の視覚信号となる。
【００３４】
前述の例のある好ましい実施態様では、検出溶液中のＡＬＰの濃度の範囲は、約０．１％から約１０％（ｗ／Ｖ）である。しかし、この範囲外の濃度は、基材へのニート（ｎｅａｔ）フェノールフタレイン二リン酸の適用を含めて考慮される。また、前述の例の好ましい実施態様では、使用するパンパースベビーフレッシュ乾燥基材の色は白色である。しかし、基材の色は信号の色を加減もしくは変えるために変化させてもよい（例えば信号をより紫色に変える青い基材）。更に、基材は、あるいは、例えばトイレットペーパー、顔用ティッシュ、ペーパータオル、及びその他の洗浄性拭き取り用品に典型的に見られる繊維性ウェブのようないずれかの繊維性ウェブであってもよい。このような基材は、上記のセンサーと組み合わせて、本発明の使い捨て拭き取り物品を形成するために使用され得る。
【００３５】
本発明の表面拭き取り物品は、前述の例に似てはいるが湿った基材を有し、本明細書ですでに記載したパンパースベビーフレッシュ予湿拭き取り用品上でｐＨ約８．５の溶液状のフェノールフタレイン二リン酸１０ｍｌを均等に噴霧することにより作成してもよい。更にフェノルフタレイン二リン酸、その水溶液、又は代替センサーを、先に本明細書に引用し援用した米国特許第５，７５６，１１２号、第５，７６３，３３２号、第５，８６３，６６３号、第５，９１４，１７７号、及び第５，９４８，５４０号（マッケー（Ｍａｃｋｅｙ）ら）に記載の方法によってマイクロカプセルに入れてもよい。
【００３６】
他の指標溶液はまた、本明細書に記載の潜在的な汚染マーカーのいずれかの検出に基づいて作成してもよい。例えば便汚染の検出はまた、検出溶液中のｐ−ニトロフェノールを使用して行ってもよい。更に、基材への結合を増し、汚染した表面への溶液の移動の可能性を減らすために、キトサンのような物質を検出溶液に加えてもよい。
【００３７】
この物品が、水又は他の水性流体のそれ自体の供給を備える基材を含む場合、センサー４０は、個人が排泄した身体排泄物中に異常な健康の及び／又は異常な栄養のマーカーを検出し、物品のユーザにその異常の存在を知らせてもよい。好適な信号及びそのような信号の好ましい特質は、上記で検討したが、更に本発明のセンサーに関して下記に説明する。この場合、基材は検出反応に必要な水を提供するので、異常な状態を示す排泄物の成分の中の小さい変化をより確実に検出できるように、反応状況はよりよく制御される可能性がある。「健康マーカー」及び「栄養マーカー」（例えば人の便又は粘液中の）は、本明細書で使用する時、排泄物中に見つかる可能性のある基礎的、化学的、又は生物学的成分、及び人の健康（例えば病気、伝染病、毒物）及び栄養的な状態のそれぞれに明確に関連する成分間のいかなる組み合わせ又は関係（例えば割合）にあてはまる。個人の栄養的な状態には、例えば、代謝率、栄養不足、栄養の吸収又は吸収不良、食物及び飲み物の摂取、食物アレルギー（例えばピーナッツヘの）、食物への過敏症（例えばラクトース過敏症）、結腸のバクテリア生態環境（例えば、ビフィドバクテリア及びラクトバクテリアなどの有益なバクテリア）、及び全エネルギーバランスが含まれる。健康マーカーには、重金属（例えば鉛、水銀など）、放射線物質（例えば、セシウム、ストロンチウム、ウラニウムなど）、脂肪、酵素、内因性分泌物、蛋白質含有物質（例えば円柱（ｃａｓｔ））、粘液、及び例えば皮膚の炎症、伝染病、下痢、胃腸の苦痛又は病気、又は有毒物質のような種々の健康問題に関係するかもしれない微生物（下文のバイオセンサーの項でより詳細に説明する）が含まれてもよい。円柱（ｃａｓｔ）（例えば尿中の）のような蛋白質含有物質は、標的とするタムホースフォール（Ｔａｍｍ−Ｈｏｒｓｆａｌｌ）蛋白質によって検知され得る。タムホースフォール蛋白質のためのセンサーの好適な例は、米国特許第５，７８０，２３９号に説明されており、これを本願に引用し援用する。重金属のための好適なセンサー及び／又はこのセンサーに有用な識別手段は、米国特許第５，５９５，６３５号、第５，８６５，９７２号、第５，８１４，２０５号、第５，４６８，３６６号により詳細に説明されており、これらを全て本願に引用し援用する。アルセナゾＩＩＩ（酸性環境）及びクレソフタレインコンプレクソン（基礎環境）に基づく好適な比色カルシウムセンサーは、シグマ−アルドリヒ化学（Ｓｉｇｍａ−Ａｌｄｒｉｃｈ Ｃｈｅｍｉｃａｌ， Ｓｔ． Ｌｏｉｓ， ＭＯ）からカタログ番号５８８−３及び５８７−Ａで各々入手可能である。カルシウムのための他の典型的なセンサー及び／又はこのセンサーに有用な識別手段は、米国特許第５，７０５，６２０号、第５，５８０，４４１号、及び第５，４９６，５２２号に、より詳細に説明されており、それら全てを本願に引用し援用する。
【００３８】
本発明のある実施態様では、センサー４０はバイオセンサーを備えてもよい。本明細書で使用する時、「バイオセンサー」という用語は、１以上の標的微生物又は関連する生体分子を検出することに適合している１以上の生物学的反応手段（例えば酵素センサー、細胞器官センサー、ティッシュセンサー、微生物センサー、免疫センサー又は電気化学センサー）を備える成分であると定義し、「生物学的反応の」という用語は、標的微生物及び／又は本明細書に記載するような関係する生体分子を、選択的に相互に作用させる、及び好ましくは結びつける能力を有すると定義する。一般にバイオセンサーは、標的とする生物学的活性目標物質を特に結びつけ、その結果検出する手段を提供することによって機能する。このように、バイオセンサーは、例えば便のような多くの化学的及び生物学的存在物の混合物とともに用いる時でさえ、非常に選択的である。標的とする生物学的目的物質は、しばしば生物学的及びその他の成分の複合物を含む複錯体混合物の小成分である。このように多くのバイオセンサーの用途において、１０億の物質当たりの、一兆の物質当たりの、又は更に低レベルの標的とする目標物質の検出が必要である。それ故に、錯体混合物の中の標的とする生物学的目標物質を認識するために、約１０７〜１０８又はより大きい識別率がバイオセンサーに求められるかもしれない。
【００３９】
本発明のバイオセンサーは、特定の目標物質のために非常に特定の結合又は検出選択力を提供する生物認識要素、又は分子認識要素を備えてもよい。生物認識要素又はシステムは、例えば、酵素又は酵素のシーケンス、抗体、膜受容体蛋白質、ＤＮＡ，細胞器官、天然又は合成細胞膜、非損傷又は部分生存又は非生存バクテリア、植物細胞又は動物細胞、又は一本の植物又は哺乳類の組織のように生物学的由来の素材であってよく、一般に特に標的とする生物学的目的物質と相互に作用するよう機能する。生物認識要素は目的物質の選択的認識に反応し、出力信号の基礎を提供する物理化学的信号を送る。
【００４０】
バイオセンサーには、生物触媒バイオセンサー及び生物親和バイオセンサーが含まれてもよい。生物触媒バイオセンサーの実施態様では、生物認識要素は、「生物触媒」であり、酵素、細胞器官、植物又は哺乳類の組織、又は全細胞を含んでもよく、選択的結合が「ターンオーバー」（すなわち検出工程で再度使用可能）を位置付けして、入力信号を有意に増幅する。これらのような生物触媒センサーは一般に、同時進行の連続的な感知に有用である。
【００４１】
生物親和センサーは一般に、バクテリア、ウイルス、及び毒素に適用可能であり、化学受容器によるバイオセンサー及び／又は免疫学的センサー（すなわち免疫センサー）が含まれる。化学受容器は、高度な選択性で環境中の化学物質を感知するための、生存する微生物の能力に部分的に反応する錯体生物分子の大集合である。化学受容器によるバイオセンサーは、標的とする生物学的目的物質の存在又は濃度の信号（視覚的、電気的など）を提供する手段に関連する１以上の天然又は合成化学受容器を備える。ある実施態様では、化学受容器は、検出可能な電気信号を提供するために、電極（すなわち電気変換器）と関連してもよい。化学受容器は、全又は部分神経管束（例えば触覚又は他の感知器官）、及び／又は全又は部分的な天然又は合成細胞膜を含んでもよい。一方、免疫センサーの生物認識要素は一般に抗体である。抗体は非常に特殊であり、バクテリア、ウイルス、微生物の破片（例えばバクテリアの細胞壁、寄生卵又はその一部など）、及び大きい生物分子に対して作られる。好適な抗体は、単クローンであっても多クロ−ンであってもよい。いずれの場合も、標的とする生物学的目的物質にさらされる時、バイオセンサーの受容器サイトは飽和状態になるので、生物親和バイオセンサーは一般に不可逆である。
【００４２】
ある実施態様では、例えば、ＲＮＡ／ＤＮＡ探針又は、その他、最初の生物認識事象に続いて信号の生物学的増幅が起こる高親和結合システムのように生物触媒バイオセンサーと生物親和バイオセンサーを組み合わせてもよい。例えば特定のバクテリアは、小数（例えば５００以下）微生物を検出するための生物認識要素及びＰＣＲ（すなわちポリメラーゼ鎖反応）増幅として、例えばＤＮＡのような遺伝材料を含むバイオセンサーによって検出してもよい。生物触媒バイオセンサーシステム及び生物親和バイオセンサーシステムについては、雑誌クロマトグラフィー５１０（Ｃｈｒｏｍａｔｏｇｒａｐｈｙ，１９９０）３４７−３４５及びカーク−オスマー（Ｋｉｒｋ−Ｏｔｈｍｅｒ）化学技術百科事典第４版（１９９２，Ｊｏｈｎ Ｗｉｌｅｙ ＆ Ｓｏｎｓ， ＮＹ）に更に詳細に説明されており、その明細書を本願に引用し援用する。
【００４３】
上記のように、本発明のバイオセンサーは、関係する身体排泄物のタイプに共通する生物学的に活発な目的物質を好適に検出する。センサーからの、所定の汚染物質の検出を表示する信号、例えば生物認識要素により発生した物理化学的信号は、視覚的に（すなわち人の目に可視である色の変化により）ユーザ又は世話人に好適に伝えられる。上記で説明したとおり、本発明の物品は典型的に、処分前の寿命が比較的短いために、信号を比較的短時間で、物品と標的汚染（又は目標物質）との接触から好ましくは約３０秒未満、更に好ましくは約１５秒未満、更に好ましくは約１０秒未満で提供することも望ましい。他の実施態様では、信号を強化するために他の器械を必要とするかもしれない光学的信号を製作してもよい。これらには、蛍光性、生物発光性、全内部反射共鳴、表面プラスモン共鳴、ラマン法及び他のレーザーによる方法が含まれる。例えば、典型的表面プラスモン共鳴バイオセンサーは、ミュンスター（Ｍｕｅｎｓｔｅｒ，Ｇｅｒｍａｎｙ）のキサンテクアナリセンシステーメ（ＸａｎＴｅｃ Ａｎａｌｙｓｅｎｓｙｓｔｅｍｅ ）からＩＢＩＳ  Ｉ及びＩＢＩＳ  ＩＩとして入手可能で、このセンサーは生物認識要素として生物接合表面を含んでもよい。あるいは、信号は、前述及びさらに後述するように、関連する変換機によって処理してもよい。信号は質的であってもよく（例えば標的とする生物学的目標物質の存在を表示する）、又は量的であってもよい（例えば標的とする生物学的目標物質の量又は濃度の測定）。そのような実施態様において、変換器は任意に、光学的、熱的、又は聴覚的信号を製作してもよい。信号は耐久性があってもよく、又は一時的でもよく、また前述のように予め限定した閾値レベルを超える汚染の濃度のみを検出し及び／又は信号を送るようにセンサーを適合させてもよい。
【００４４】
限定のない例として、アブテックサイエンティフィック社（ＡＢＴＥＣＨ，Ｓｃｉｅｎｔｉｆｉｃ，Ｉｎｃ．，Ｙａｒｄｌｅｙ，ＰＡ）は、ＢＢ  Ａｕ−１０５０．５−ＦＤ−Ｘとして市販されている「生物分析生物変換器」（ｂｉｏａｎａｌｙｔｉｃａｌｂｉｏｔｒａｎｓｄｕｃｅｒｓ）を提示しており、これをその表面にポリペプチド、酵素、抗体、又はＤＮＡ破片を共有固定することにより、（他の本明細書に記載の微生物又は標的とする生物学的目標物質のために）生物特定してもよい。他の好適な微生物バイオセンサーは、米国特許第５，８６９，２７２号（グラム陰性の微生物）、第５，８３０，３４１号、第５，７９５，４５３号、第５，３５４，６６１号、第５，７８３，３９９号、第５，８４０，４８８号、第５，８２７，６５１号、第５，７２３，３３０号、第５，４９６，７００号に記載しており、これら全てを本願に引用し援用する。
【００４５】
本発明のバイオセンサーはまた、酵素、又は物理化学的変換器の表面の上に固定した抗体のような結合蛋白質を含む生物認識システムを備えてもよい。例えば、バクテリアの特定の菌株は、そのバクテリア菌株に対して浮揚した抗体を用いるバイオセンサーによって検出してもよい。あるいは、標的バクテリアは、例えば菌株（例えば大腸菌）によって作られた毒素のような標的バクテリアの細胞外産物に特定の生物認識要素（抗体、及び合成又は天然分子受容器を含む）によって検出してもよい。フェノール（例えば尿又は便中の）を検出するために使用してもよい典型的な酵素電極は、ジョゼフ  ワン（ＪｏｓｅｐｈＷａｎｇ）らに１９９７年１０月１４日に付与された米国特許第５，６７６，８２０号の発明の名称「遠隔電気化学センサー」（ＲｅｍｏｔｅＥｌｅｃｔｒｏｃｈｅｍｉｃａｌＳｅｎｓｏｒ）、及びアンソニー  Ｐ．Ｆ．ターナー（ＡｎｔｈｏｎｙＰ．Ｆ．Ｔｕｒｎｅｒ）らに１９９２年２月２５日に付与された米国特許第５，０９１，２９９号、発明の名称「有機溶剤中で使用するための酵素電極」（ＡｎＥｎｚｙｍｅＥｌｅｃｔｒｏｄｅＦｏｒＵｓｅＩｎＯｒｇａｎｉｃＳｏｌｖｅｎｔｓ）に各々記載のチロシナーゼベースの電極又はポリフェノール酸化酵素電極を含む。これらの特許を両方とも本願に引用し援用する。
【００４６】
上述の例のいずれにおいても、特定の微生物を直接検出してもよく、又は、毒素、酵素、又は例えば微生物に特定の単クローム抗体のような抗体又は微生物によって作られる他の蛋白質を結合することにより検出してもよい。蛋白質分解酵素の検出に適合した典型的バイオセンサーは、米国特許第５，６０７，５６７号に、毒素検出に適合したセンサーは、米国特許第５，４９６，４５２号、第５，５２１，１０１号、及び第５，５６７，３０１号に記載している。
【００４７】
生物認識要素が、センサーを用いた（例えば色の変化）物品のユーザによって容易に認識される信号を作らないバイオセンサーの実施態様では、センサー４０は、物理化学信号を、生物認識要素から着用者、世話人又は物品（例えば作動装置）の構成要素が使用可能な信号に変換するために生物認識要素と連絡を取る変換器を含んでもよい。典型的な変換器は、当業界で周知の電気化学的変換器（電位差測定変換器、電流測定変換器、及び電気伝導測定変換器を含む）、光学的変換器（蛍光、生物発光、全内部反射共鳴、及び表面プラスモン共鳴を含む）、熱的変換器、及び聴覚的変換器を含んでもよい。例えばミニ３ボルト時計電池又はプリント薄膜リチウム電池のような電源をセンサー４０に接続し、必要な動力を提供してもよい。
【００４８】
本発明のバイオセンサーの効力は、下記の試験方法の項に記載する反応要因試験によって測定してもよい。反応要因は、生理食塩水にさらされたバイオセンサーの反応と比較した、便試験素材にさらされたバイオセンサーの反応の割合について説明し、尿より便中に優先的に見つかると考えられる生物学的に活発な目的物質のためのバイオセンサーの感度を評価するのに有用である。本発明のバイオセンサーは、水溶液中で便試験素材にさらされた時、又は１ｇの生理食塩水当たり１ｇの便試験素材の濃度を有する試験尿にさらされた時、好ましくは、少なくとも２、３又は５、更に好ましくは少なくとも１０、更に好ましくは少なくとも２０の反応要因を有する。（生理食塩水はここでは、例えば水性体液のようにほとんどの自然環境に存在する背景の入力信号を表すために使用する。）このようなバイオセンサーは、標的とする生理学的に活発な便に特有の目的物質に関して、便素材の存在と生理食塩水の存在を明白に識別できる。
【００４９】
便を検出するための一つの方法は、便素材に共通に見つかる物質、スカトールを検出することである。便中のスカトールの濃度は、便素材１グラム当たり約１８０μｇであり、尿中のスカトールレベルは実質的にそれより低いことがわかった。スカトールは一般に、腸組織の中のトリプトファンの異化作用から起こる微生物分解の産物である。スカトールを検出するバイオセンサーの一つの好ましい実施態様では、バイオセンサーは、スカトール及び／又は他の物質を同化する遺伝子操作された微生物を備える。スカトール特定物質の同化は、例えば同化過程中の酸素消費によって測定可能である。スカトールの検出に好適な微生物は、アシネトバクターバウマニー（Ａｃｉｎｅｔｏｂａｃｔｅｒｂａｕｍａｎｎｉｉ）ＴＯＩ３６（ＦＥＲＭＰ−１２８９１，日本特許公開番号ＪＰ０５３０４９４７号）及びバシラス（Ｂａｃｉｌｌｕｓｓｐ）ＴＯＩ４１（ＦＲＥＭＰ−１２９１４、日本特許公開番号第ＪＰ０５３０４９４８号に開示する））を含む。このような微生物を含む好適なバイオセンサーは、例えば生物化学センサー研究所（ＩｎｓｔｉｔｕｔｆｕｅｒＣｈｅｍｏ−ｕｎｄＢｉｏｓｅｎｓｏｒｉｋ，Ｍｕｅｎｓｔｅｒ，Ｇｅｒｍａｎｙ）から微生物センサー（ＭｉｋｒｏｂｉｅｌｌｅＳｅｎｓｏｒｅｎ）という表記で市販されている。
【００５０】
微生物をバイオセンサーに組み込む時、それらを例えば、取り込み、吸着、架橋、カプセルに入れる、共有付着、そのいずれかの組み合わせのような当業界に周知の技術によりバイオセンサーの中に不動化してもよい。更に不動化は、当業界で周知の多くの異なる基材上又は基材中で行うことができる。ある好ましい実施態様では、不動化基材は、ポリマー基材の素材、ヒドロゲル、ティッシュ、不織布材、織素材からなる群から選択されてもよい。
【００５１】
上記の排泄物汚染検出機能及び信号を送る機能に加えて、有効な排泄物汚染「洗浄」（例えば除去）機能を行う表面拭き取り物品は、本発明の一つの好ましい実施態様である。本明細書に使用する時「有効な」洗浄は、その物品に完全ではなくとも実質的に標的排泄物汚染を関係する表面から除去する又は減じる能力があることを意味する。このような排泄物汚染洗浄機能を行い得る表面拭き取り物品は、例えば顔用ティッシュ、トイレットペーパー、ペーパータオル、湿った又は乾燥した拭き取り用品のような洗浄物品を含む。湿った及び乾燥した洗浄装置及び物品を含み、その前者は水性洗浄液の必要性のない物体の洗浄に好適であり、又は比較的少量の水性洗浄液を使う時に使用される。この実施態様の表面拭き取り物品は、前述のような、及び図１に示すような、湿った（例えば予め湿らせた）又は乾燥した基材、及び排泄汚染センサーを備え得る。排泄物除去機能を行う事により明らかなように、このような表面拭き取り物品は、汚染を検出してこの物品のユーザに信号を送った後、汚染した表面を浄化するために有利に使用できる。
【００５２】
他の好ましい実施態様では、例えば図２Ａ及び２Ｂに例示するように、本発明の排泄物汚染センサーを有する使い捨てモップ１００を示す。モップ１００は、伸長したハンドル１０４及びブラケット（取りつけ金具）１０６によって伸長したハンドル１０４の一つの末端部に接続したモップヘッド基材１３０を備える。この実施態様では、モップヘッド基材１３０は使い捨てであり、基材１３０は、排泄物汚染除去機能を行うのに好適な一つの又は複数の素材（理想的には生分解性）から作られ得る。好適な基材は、以下に記載及び本明細書ですでに記載されている。ブラケット１０６は糸を通した開口部１１０を有し、この開口部を通ってねじ１０８がモップヘッド基材１３０まで上方に伸び、それによってモップヘッド基材をブラケットに固定する。伸長したハンドル１４０は、例えばブラケットにねじ止めする、くぎ付けする、ステープルで留める、接着剤で接着するのような当業者に周知であろういずれかの好適な手段によってブラケット１０６に接続され得る。図２Ｂは、モップヘッド基材１３０の底面１３２を示し、この面は通常の使用で取り扱う面と通常接触するモップヘッドの部分である。例えば、本明細書に上述したセンサーのような排泄物汚染センサー１４０を、基材１３０の底面１３２の少なくとも一部の中または上に組み込む。ねじ１０８はモップヘッド基材１３０からブラケット１０６まで上方に伸び、そこで糸を通した開口部１１０によって適所に固着させられる。好ましくはねじ１０８は、モップヘッド基材１３０中で休止し、モップで拭き取る面と接触しない。
【００５３】
図３Ａ、３Ｂ及び３Ｃは、その他の使い捨てモップの実施態様を示す。．モップ２００はモップヘッド２０２に適合する使い捨てモップヘッドカバー基材２３０を含む。モップヘッドカバー基材２３０は第一のへり２１８、第二のへり２２０、及び外側の面２２２を有する。基材２２０は、好ましくは排泄物汚染除去機能を行うのに好適な一つの素材又は複数の素材（理想的には生分解性）から作ることができ、以下に記載及び本明細書ですでに記載されている。図３Ｃに示すように、モップヘッドカバー基材２３０は、モップヘッド２０２の周囲を第二のへり２２０に重なリ合う第一のへり２１８で包み、基材の外側の面２２２と反対側の面上の第一のへり２１８近くに位置するフック及びループファスナ２１２のフック部分、及び外側の面２２２の第二のへり２２０近くに位置するフック及びループファスナ２１４のループ部分によって適所に保持されている。柄の開口部２１６は柄２０４の周りの良好な適合を容易にする。本明細書で上述した例えばセンサーのような排泄物汚染センサー２４０を基材２３０の外側の面２２２の少なくとも一部の中又は上に組み込む。
【００５４】
本発明と共に使用するのに好適な、特に乾燥モップのような洗浄装置のために好適な基材は、１９９８年５月２０日出願の米国特許出願第０９／０８２，３４９号、発明の名称「洗浄シートとして有用な新構造」、及び１９９８年５月２０日出願の第０９／０８２，３９６号、発明の名称「洗浄シートとして有用な新三次元構造」に、より充分に説明されており、その両方を本願に引用し援用する。上記シートが好ましいと同時に、例えば独立気泡又は連続気泡のような非繊維性基材を含む上述の他の基材を本発明と共に使用するのが等しく好適であり得ることは理解できるであろう。
【００５５】
図４に示すように、代替の実施態様において、本発明は、特定の排泄物汚染状態を検出してユーザに警告するハンドカバー３００（手覆い）の形体の表面拭き取り物品を備えてもよい。ハンドカバーは手を部分的に覆ってもよいし、全体を覆ってもよい。好ましくはセンサー３４０は一般に、ハンドカバー３００の外側の手のひらの面３０４の少なくとも一部に位置する。ハンドカバーの例の形には、指サック、手袋、ミトン及びハンドラップが含まれるが、これらに限定されない。このような身体を覆う物は使い捨てであることが好ましい。このような覆いは、例えば、医学的な介護環境などにおいて、赤ちゃん又は失禁のある個人の介護人によって使用されてもよい。
【００５６】
本発明はまた、使い捨てよだれかけ、赤ちゃんのオムツ取替え用使い捨てパッド又は「マット」、使い捨てベッドパッド、及び、とりわけ最初の使用に付随する身体排泄物で汚染される可能性のある使い捨て切り取り面を含む表面用使い捨てカバーに関して使用し得る。図５は、厚さ４２７を有する基材４３０を含む赤ちゃんのオムツ取替え用使い捨てパッド４００を示す。基材４３０は、赤ちゃんのオムツを取り替える間、通常赤ちゃんと接触している上の表面４０４を有する。基材４３０は、表面４０４に布のような感触を提供するために、乾燥した繊維性の織素材又は不織布材から、又はクッションをつけるために独立気泡又は連続気泡から、又は前述の理由でこのような素材と、好ましくは繊維性素材から形成された表面４０４との組み合わせから作り得る。上記の他の基材は、本発明のこれらの実施態様と共に使用するのに等しく好適であってもよい。例えば本明細書に上述したセンサーのような排泄物汚染センサー４４０を、基材４３０の表面４０４の少なくとも一部の中又は上に組み込む。
【００５７】
試験方法
反応要因試験：
以下に記載する反応要因試験で、特定の物質又は組成物にさらす反応として、量的センサーの反応が測定可能である。
【００５８】
この試験が好適であるための特定の物質又は組成物は：
生理食塩水１ｇ当たり便試験素材１ｇの濃度を有する水溶液中の便試験素材；試験尿溶液１ｇ当たり便素材１ｇの濃度を有する試験尿溶液中の便試験素材；試験尿溶液；及び生理食塩水１ｇ当たりスカトール１８０μｇの濃度を有する生理食塩水中のスカトール溶液；及び生理食塩水。
【００５９】
全ての測定は体温（３７℃）で行われる。この方法は、以下の順序で以下の過程を含む：
１）生理食塩水溶液に２４時間さらした後、センサーの量的反応を記録する。背景反応は最大記録反応である。
【００６０】
２）センサーを特定の物質又は組成物にさらす。
【００６１】
３）センサーが特定の物質又は組成物に２４時間さらされている間にセンサーの量的反応を記録する。物質反応は最大記録反応である。
【００６２】
反応要因は物質反応を背景反応で標準化することにより得られる。このようにして得られた反応要因が１未満の場合、反応要因の逆の値が反応要因として報告される。
【００６３】
以上本発明の特定の実施態様及び／又は個々の特徴について説明したが、本発明の精神及び範囲から逸脱することなく、本発明に様々ない変更及び修正を加えることができる事は当業者には明白あろう。さらに、このような実施例および特徴の全ての組み合わせが可能であり、それらによって本発明を好ましく実施することができるのも明らかである。したがって、記載された請求項において、本発明の範囲内にある全てのそのような変更と修正を包含しようとするものである。
【図面の簡単な説明】
【図１】本発明による表面拭き取り使い捨て物品の透視図である。
【図２】本発明による表面拭き取り使い捨て物品を備える使い捨てモップヘッドを有するモップの下部の透視図である。
【図３】本発明による表面拭き取り使い捨て物品を備える使い捨てモップヘッドカバーを有するモップの下部の透視図である。
【図４】手のひらを上に向けた手袋の形体をした、本発明による表面拭き取り物品の透視図である。
【図５】取替え用使い捨てテーブルパッドの形体をした、本発明の他の実施態様の透視図である。
【国際公開パンフレット】
2004500186.tif 000003
2004500186.tif 000004
2004500186.tif 000005
2004500186.tif 000006
2004500186.tif 000007
2004500186.tif 000008
2004500186.tif 000009
2004500186.tif 000010
2004500186.tif 000011
2004500186.tif 000012
2004500186.tif 000013
2004500186.tif 000014
2004500186.tif 000015
2004500186.tif 000016
2004500186.tif 000017
2004500186.tif 000018
2004500186.tif 000019
2004500186.tif 000020
2004500186.tif 000021
2004500186.tif 000022
2004500186.tif 000023
2004500186.tif 000024
2004500186.tif 000025
2004500186.tif 000026
2004500186.tif 000027
2004500186.tif 000028
2004500186.tif 000029
2004500186.tif 000030
2004500186.tif 000031
2004500186.tif 000032
2004500186.tif 000033
2004500186.tif 000034
2004500186.tif 000035
2004500186.tif 000036
【国際公開パンフレット（コレクトバージョン）】
2004500186.tif 000037
2004500186.tif 000038
2004500186.tif 000039
2004500186.tif 000040
2004500186.tif 000041
2004500186.tif 000042
2004500186.tif 000043
2004500186.tif 000044
2004500186.tif 000045
2004500186.tif 000046
2004500186.tif 000047
2004500186.tif 000048
2004500186.tif 000049
2004500186.tif 000050
2004500186.tif 000051
2004500186.tif 000052
2004500186.tif 000053
2004500186.tif 000054
2004500186.tif 000055
2004500186.tif 000056
2004500186.tif 000057
2004500186.tif 000058
2004500186.tif 000059
2004500186.tif 000060
2004500186.tif 000061
2004500186.tif 000062
2004500186.tif 000063
2004500186.tif 000064
2004500186.tif 000065
2004500186.tif 000066
2004500186.tif 000067
2004500186.tif 000068
2004500186.tif 000069
2004500186.tif 000070
【国際調査報告】
2004500186.tif 000071
2004500186.tif 000072